(57)【特許請求の範囲】
【請求項１】
下から上に向かって順に、
下端面に複数の突起部が設けられ、上端面に通気孔が設けられるとともに、前記複数の突起部と前記通気孔が互い違いに配列される支持底層と、
通気孔が設けられるとともに、抗菌防臭層が塗布された弾性中間層と、
通気孔が設けられるとともに、抗菌防臭層が塗布された吸湿中間層と、
抗菌防臭層が塗布された通気防水層と、を含み、
前記の支持底層、弾性中間層、吸湿中間層及び通気防水層が順に接着されていることを特徴とする多重防振吸湿通気インソール。
【請求項２】
前記抗菌防臭層の材料には、ナノレベルのキトサン元素が含まれることを特徴とする請求項１記載の多重防振吸湿通気インソール。
【請求項３】
前記支持底層は、ポリウレタン、シリコーン又はゴムからなることを特徴とする請求項１記載の多重防振吸湿通気インソール。
【請求項４】
前記弾性中間層は、弾性スポンジ又はエマルジョン材料からなることを特徴とする請求項１記載の多重防振吸湿通気インソール。
【請求項５】
前記吸湿中間層は、綿布、スポンジ又はエマルジョン材料を含むことを特徴とする請求項１記載の多重防振吸湿通気インソール。
【請求項６】
前記通気防水層は、織布、本革、不織布及び合成皮革のうち１又は２種類以上の材料を含むことを特徴とする請求項１記載の多重防振吸湿通気インソール。
【請求項７】
前記複数の突起部は、均一に分布するように前記支持底層の下端面に設けられていることを特徴とする請求項１記載の多重防振吸湿通気インソール。
【請求項８】
前記請求項１〜７のいずれか１項のインソールが設けられることを特徴とする防振吸湿通気靴。
【発明の詳細な説明】
【技術分野】
【０００１】
本発明は靴の付属品分野に関し、具体的に、多重防振吸湿通気インソール及び防振吸湿通気靴の構造に関する。
【背景技術】
【０００２】
従来技術におけるインソールや靴は、効果的に乾燥を維持できず、靴内部の空気や湿気の交換もできなかった。従来のインソールや靴では、例えば磁気や薬剤を加えるといった改良はなされてきたものの、構造が大きく改良されたわけではないため、吸汗、防湿、脱臭、振動解消といった然るべき機能を同時には実現できていない。
【発明の概要】
【発明が解決しようとする課題】
【０００３】
本発明の目的は、従来技術におけるインソール及び靴は機能が単一であるとの不足を解消すべく、多重防振吸湿通気インソール及び防振吸湿通気靴を提供することである。
【課題を解決するための手段】
【０００４】
本発明では、従来の技術的課題を解決するために以下の技術方案を用いる。
【０００５】
まず、本発明は多重防振吸湿通気インソールを提供する。当該インソールは改良点として、下から上に向かって順に、下端面に複数の突起部が設けられ、上端面に通気孔が設けられるとともに、前記複数の突起部と前記通気孔が互い違いに配列される支持底層と、通気孔が設けられるとともに、抗菌防臭層が塗布された弾性中間層と、通気孔が設けられるとともに、抗菌防臭層が塗布された吸湿中間層と、抗菌防臭層が塗布された通気防水層と、を含み、前記の支持底層、弾性中間層、吸湿中間層及び通気防水層が順に接着されている。
【０００６】
以下に、上記の技術方案について更に詳述する。
【０００７】
更に、前記抗菌防臭層の材料には、ナノレベルのキトサン元素が含まれる。
【０００８】
更に、前記支持底層は、ポリウレタン、シリコーン又はゴムからなる。
【０００９】
更に、前記弾性中間層は、弾性スポンジ又はエマルジョン材料からなる。
【００１０】
更に、前記吸湿中間層は、綿布、スポンジ又はエマルジョン材料を含む。
【００１１】
更に、前記通気防水層は、織布、本革、不織布及び合成皮革のうち１又は２種類以上の材料を含む。
【００１２】
更に、前記複数の突起部は、均一に分布するように前記支持底層の下端面に設けられている。
【００１３】
本発明は更に、内部に前記インソールが設けられる防振吸湿通気靴を提供する。
【発明の効果】
【００１４】
本発明における有益な効果としては、以下が挙げられる。
【００１５】
第一に、本発明の多重防振吸湿通気インソールでは、複数の弾性突起と通気孔が設けられた支持底層と、通気孔が設けられるとともに抗菌防臭層が塗布された弾性中間層及び吸湿中間層と、抗菌防臭層が塗布された通気防水層とが順に接着されている。これにより、一体的な四層構造型インソールが形成されて、吸汗、防湿、防臭、防振等のあらゆる機能が同時に実現される。当該インソールは快適性が高く、実用性に優れている。
【００１６】
第二に、前記通気防水層は、織布、本革、不織布及び合成皮革のうち１又は２種類以上の材料からなるとともに、ハスの葉の表面を模した技術によって、サイフォン現象の防止や水分非吸収との効果を達成している。且つ、通気防水層には抗菌防臭層が塗布されている。これにより当該多重防振吸湿通気インソールにおける最上層が形成される。以上より、汗や汗による湿気は迅速に吸湿中間層と弾性中間層へ導かれるため、足裏や靴下の汗及び汗による湿気がインソールの表層を湿らせることがない。よって、着用者の足裏の爽快さが増し、密封された革靴を長時間履かざるを得ない着用者に生じる足部の湿りが解消される。
【００１７】
第三に、前記抗菌防臭層の材料にはナノレベルのキトサン元素が含まれており、現時点における最先端のナノ複合技術を用いることで、弾性中間層、吸湿中間層及び通気防水層の恒久的な抗菌効果を達成している。検査によると、２０回の水洗い後であっても大腸菌を効果的に１００パーセント除去可能であり、細菌による臭気を抑制できることが証明されている。
【００１８】
第四に、この防振吸湿通気インソールは応用範囲が非常に広く、各種の異なるタイプの靴に応用可能であるほか、これらの靴に防振、吸湿及び通気の機能を一体的に持たせることも可能である。
【図面の簡単な説明】
【００１９】
【図１】図１は、本発明の実施例における多重防振吸湿通気インソールの構造を示す図である。
【図２】図２は、図１のＡ部分の拡大図である。
【図３】図３は、図１の断面図である。
【発明を実施するための形態】
【００２０】
本発明における目的の実現、機能的特徴及び利点について、実施例を組み合わせつつ図面を参照して更に説明する。
【００２１】
以下に、本発明の本質をより明確且つ視覚的に理解しやすいよう、図面と具体的実施例を組み合わせて本発明の技術方案について詳細に説明する。
【００２２】
図１、図２及び図３に示すように、本実施例における多重防振吸湿通気インソールは、下から上に向かって、支持底層１、弾性中間層２、吸湿中間層３及び通気防水層４を順に含む。前記の支持底層１、弾性中間層２、吸湿中間層３及び通気防水層４は、順に接着されている。
【００２３】
具体的に、前記支持底層１は、ポリウレタン、シリコーン又はゴム材料からなり、支持底層１の下端面には均一に分布する複数の弾性突起部５が設けられている。支持底層１の上端面には複数の通気孔６が設けられており、且つ、前記複数の弾性突起部５と前記通気孔６は互い違いに配列されている。前記弾性中間層２は、弾性スポンジ又はエマルジョン材料からなる。弾性中間層２には均一に配列された複数の通気孔６が設けられており、且つ、前記弾性中間層２には抗菌防臭層が塗布されている。前記吸湿中間層３は、綿布、スポンジ又はエマルジョン材料を含む。吸湿中間層３にも均一に配列された複数の通気孔６が設けられている。また、吸湿中間層３には抗菌防臭層が塗布されている。且つ、上下に連通する通気孔６を形成すべく、前記支持底層１の通気孔、弾性中間層２の通気孔６及び吸湿中間層３の通気孔６の配列位置は一致している。前記通気防水層４は、織布、本革、不織布及び合成皮革のうち１又は２種類以上の材料からなるとともに、ハスの葉の表面を模した技術によって、サイフォン現象の防止や水分非吸収との効果を達成している。且つ、通気防水層４には抗菌防臭層が塗布されている。これにより、当該多重防振吸湿通気インソールにおける最上層が形成される。以上より、汗や汗による湿気は迅速に吸湿中間層３と弾性中間層２へ導かれるため、足裏や靴下の汗及び汗による湿気がインソールの表層を湿らせることがない。よって、着用者の足裏の爽快さが増し、密封された革靴を長時間履かざるを得ない着用者に生じる足部の湿りが解消される。
【００２４】
なお、前記抗菌防臭層の材料にはナノレベルのキトサン元素が含まれており、現時点における最先端のナノ複合技術を用いることで、弾性中間層２、吸湿中間層３及び通気防水層４の恒久的な抗菌効果を達成している。検査によると、２０回の水洗い後であっても大腸菌を効果的に１００パーセント除去可能であり、細菌による臭気を抑制できることが証明されている。
【００２５】
本構造の多重防振吸湿通気インソールは、各材料における異なる物理特性を利用して、防振、吸湿、通気等の機能を同時に実現することを主旨としている。足部の熱や汗は上層の通気防水層４から浸透し、吸湿性と通気性に優れた吸湿中間層３及び弾性中間層２に吸収されるため、細菌が繁殖せず、臭気が生じることがない。また、均一に配列された複数の弾性突起部５を備える支持底層１によって体圧が均一に分散するため、どのような形態の足裏にも適用可能である。このような構造によれば、足に密着する最上層の材料が長時間にわたって爽快に保たれるほか、最下層の分散による防振性によって、インソールの快適性が大いに向上する。
【００２６】
この防振吸湿通気インソールは応用範囲が非常に広く、各種の異なるタイプの靴に適用可能である。当該インソールは適応性に優れ、男性用、女性用の革靴や子供靴等への応用が可能である。このような構造によれば、歩行時における着用者の足部への圧力や熱が軽減されるため、長時間の歩行や立ち姿勢を余儀なくされる使用者に非常に適している。
【００２７】
以上は本発明の好ましい実施例にすぎず、本発明の権利範囲を制限するものではない。本発明の明細書及び図面の内容を用いて実施される等価の構造又は等価の工程変更、或いは他の関連技術分野に対する直接的又は間接的応用は、いずれも同様に本発明の権利保護の範囲に包含される。
【図１】
0006361047.tif 000002
【図２】
0006361047.tif 000003
【図３】
0006361047.tif 000004